(57)【要約】【課題】  搬送コンベアにおいて、床面上の定位置に固定コンベアを常備するとともに、固定コンベアの搬送方向前方に延長コンベアと通路とを選択的に形成すること。【解決手段】  床面上の定位置に固定される固定コンベア２０と、固定コンベア２０の下部の格納位置から該固定コンベア２０の搬送方向前方の作業位置に引き出し可能にされるスライドコンベア３０とを有する搬送コンベア１０であって、スライドコンベア３０は作業位置で上下に昇降可能にされ、上昇モードでその搬送面を固定コンベア２０の搬送面に対し同一レベルにて直列接続し、下降モードで固定コンベア２０の下部に格納可能にされるもの。【選択図】  図４
2007204245.tif 000002
【特許請求の範囲】
【請求項１】
床面上の定位置に固定される固定コンベアと、固定コンベアの下部の格納位置から該固定コンベアの搬送方向前方の作業位置に引き出し可能にされるスライドコンベアとを有する搬送コンベアであって、
スライドコンベアは作業位置で上下に昇降可能にされ、上昇モードでその搬送面を固定コンベアの搬送面に対し同一レベルにて直列接続し、下降モードで固定コンベアの下部に格納可能にされる搬送コンベア。
【請求項２】
前記スライドコンベアがスライド台とコンベア台とを有し、スライド台はスライド駆動装置により前記格納位置と作業位置との間をスライド可能にされ、コンベア台はスライド台に設置した昇降装置により前記上下に昇降可能にされる請求項１に記載の搬送コンベア。
【請求項３】
請求項１又は２に記載の複数の搬送コンベアを直列配置し、上流側の搬送コンベアの作業位置にて上昇モードにあるスライドコンベアの搬送面が、下流側の搬送コンベアの固定コンベアの搬送面に対し同一レベルにて直列接続可能にされ、
上流側の搬送コンベアのスライドコンベアを固定コンベアの下部に格納した状態で、上流側の搬送コンベアと下流側の搬送コンベアの間の床面上に通路を形成可能にする搬送装置。
【発明の詳細な説明】
【技術分野】
【０００１】
本発明は搬送コンベアに関する。
【背景技術】
【０００２】
従来の一般的な搬送コンベアは床面上にその全長を固定配置している。
尚、特許文献１の搬送コンベアは、架台の上から下流側に向けてスライド可能に設けられ、架台の上に待機して上流側装置に接続される上流側位置と、架台の上からスライドして下流側装置に接続される下流位置とに切換設定可能にされている。
【特許文献１】特開2005-154140
【発明の開示】
【発明が解決しようとする課題】
【０００３】
従来の一般的な搬送コンベアは、床面上にその全長を固定配置しており、搬送に用いないときには床面を徒に占有し、その占有スペースを通路、作業場等に利用できない。作業台車の通過ができないし、作業者がまたぐ度に疲労、転倒のおそれもある。
【０００４】
特許文献１の搬送コンベアは、架台の上の上流位置に待機する状態で、下流側装置との間の床面上に通路を形成できる。しかしながら、搬送コンベアを下流位置に切換えたときには、搬送コンベアの全体を架台の上から排出する如くになり、上流位置に何らの物品支持手段、又は上流側装置からの物品待受手段を有さないという不都合がある。
【０００５】
本発明の課題は、搬送コンベアにおいて、床面上の定位置に固定コンベアを常備するとともに、固定コンベアの搬送方向前方に延長コンベアと通路とを選択的に形成することにある。
【課題を解決するための手段】
【０００６】
請求項１の発明は、床面上の定位置に固定される固定コンベアと、固定コンベアの下部の格納位置から該固定コンベアの搬送方向前方の作業位置に引き出し可能にされるスライドコンベアとを有する搬送コンベアであって、スライドコンベアは作業位置で上下に昇降可能にされ、上昇モードでその搬送面を固定コンベアの搬送面に対し同一レベルにて直列接続し、下降モードで固定コンベアの下部に格納可能にされる搬送コンベアようにしたものである。
【０００７】
請求項２の発明は、請求項１の発明において更に、前記スライドコンベアがスライド台とコンベア台とを有し、スライド台はスライド駆動装置により前記格納位置と作業位置との間をスライド可能にされ、コンベア台はスライド台に設置した昇降装置により前記上下に昇降可能にされるようにしたものである。
【０００８】
請求項３の発明は、請求項１又は２に記載の複数の搬送コンベアを直列配置し、上流側の搬送コンベアの作業位置にて上昇モードにあるスライドコンベアの搬送面が、下流側の搬送コンベアの固定コンベアの搬送面に対し同一レベルにて直列接続可能にされ、上流側の搬送コンベアのスライドコンベアを固定コンベアの下部に格納した状態で、上流側の搬送コンベアと下流側の搬送コンベアの間の床面上に通路を形成可能にする搬送装置である。
【発明の効果】
【０００９】
（請求項１）
(a)床面上の定位置に固定コンベアを固定的に常備でき、固定コンベアを組立台として用いる等、常に物品支持手段又は物品待受手段として用意できる。
【００１０】
(b)スライドコンベアを固定コンベアの下部の格納位置から作業位置に引き出し、上昇モードでその搬送面を固定コンベアの搬送面に対し同一レベルにて直列接続することにより、固定コンベアの搬送方向前方にて下流側に伸びる延長コンベアを該スライドコンベアによって形成できる。
【００１１】
(c)スライドコンベアを下降モードで固定コンベアの下部の格納位置に格納することにより、固定コンベアの搬送方向前方の床面上から上述(b)の延長コンベアを除去し、この床面上スペースを通路、作業場として利用できる。
【００１２】
（請求項２）
(d)スライドコンベアがスライド駆動装置により前記格納位置と前記作業位置との間をスライド可能にされるとともに、昇降装置により前記上下に昇降可能にされる。
【００１３】
（請求項３）
(e)搬送装置において、複数の搬送コンベアを直列配置することにより、上流側と下流側の複数位置のそれぞれに常備される固定コンベアにより前述(a)の組立台等を形成し、各固定コンベアの搬送方向前方に前述(b)の延長コンベアと前述(c)の通路等とを選択的に形成できる。
【発明を実施するための最良の形態】
【００１４】
図１は搬送装置を示す平面図、図２は搬送コンベアの延長状態を示す平面図、図３は図２のIII部拡大図、図４は図２の側面図、図５は図４のＶ部拡大図、図６は図４のVI部拡大図、図７は搬送コンベアの格納状態を示す側面図、図８は図７のコンベア内部構造を示す側面図、図９は図４のIX−IXに沿う矢視図、図１０は図４のX−Xに沿う矢視図、図１１は図４のXI−XIに沿う矢視図である。
【実施例】
【００１５】
図１は洗車機１の組立ラインに本発明の搬送装置１００を適用した実施例を示す。搬送装置１００は、３列のコンベア列１００Ａ、１００Ｂ、１００Ｃを互いに平行配置し、それらの各１列を直列配置された複数の搬送コンベア１０（１０Ａと１０Ｂ）から構成したものである。
【００１６】
各搬送コンベア１０は、図２〜図１１に示す如く、床面上の定位置に固定される固定コンベア２０と、固定コンベア２０の下部の格納位置から該固定コンベア２０の搬送方向前方の作業位置に引き出し可能にされるスライドコンベア３０とを有する。スライドコンベア３０は、作業位置で上下に昇降可能にされ、上昇モードでその搬送面を固定コンベア２０の搬送面に対し同一レベルにて直列接続し、下降モードで固定コンベア２０の下部に格納可能にされる。
【００１７】
固定コンベア２０は、図２〜図４、図９に示す如く、架台２１をアンカーボルト２２により床面上の定位置に固定し、各架台２１の上に設けたコンベア台２３に多数のコンベアローラ２４を枢支している。尚、各架台２１は、固定コンベア２０の搬送方向に沿う複数位置のそれぞれに、スライドコンベア３０のための左右で対をなす上ガイドローラ２５と、同じく左右で対をなす下ガイドローラ２６を備える。
【００１８】
スライドコンベア２０は、図２〜図１１に示す如く、スライド台３１を有し、スライド台３１の長手方向に沿って延在し、左右で対をなす上ガイドレール３２と、同じく左右で対をなす下ガイドレール３３を備える。スライドコンベア３０は、スライド台３１が備える上ガイドレール３２を固定コンベア２０の架台２１が備える上ガイドローラ２５の上向き面に転接し、スライド台３１が備える下ガイドレール３３を固定コンベア２０の架台２１が備える下ガイドローラ２６の下向き面に転接するとともに、スライド台３１に設けてあるシリンダブラケット３４に固定したスライド駆動装置３５の空圧シリンダ３５Ａから延出しているピストンロッド３５Ｂの延出端を、固定コンベア２０の架台２１に設けたロッドブラケット２７に連結している。これにより、スライドコンベア３０のスライド台３１は、スライド駆動装置３５の作動により、前述の如く、固定コンベア２０の下部の格納位置から該固定コンベア２０の搬送方向前方の作業位置との間をスライドできる。
【００１９】
尚、スライドコンベア３０は、スライド台３１の上ガイドレール３２の基端側に、固定コンベア２０の中間部に設けてある上ガイドローラ２５に乗り上げできる乗り上げガイド３２Ａを設けている。また、スライドコンベア３０の引き出し端に対応する床面上には、スライド台３１の先端下面が乗り込み支持されるスライダ３６が設置されるとともに、スライド台３１の先端部が衝接し得る引き出し端ストッパ３７が設置される。
【００２０】
スライドコンベア３０は、図２〜図１１に示す如く、コンベア台４１を有する。コンベア台４１はスライド台３１の長手方向複数位置のそれぞれに設置した昇降装置４２の空圧シリンダ４２Ａから突出するピストンロッド４２Ｂの突出端に載置されて固定され、上下に昇降可能にされる。コンベア台４１は多数のコンベアローラ４３を枢支している。これにより、スライドコンベア３０のコンベア台４１は、スライド台３１を作業位置に位置付けた状態で、昇降装置４２の作動により上下に昇降され、前述の如く、上昇モードでその搬送面たるコンベアローラ４３を固定コンベア２０の搬送面たるコンベアローラ２４と同一レベルにて直列接続し、下降モードにて固定コンベア２０のコンベアローラ２４に対する下部に格納可能にする。
【００２１】
尚、スライドコンベア３０は、スライド台３１にコンベア台４１の上昇端検出スイッチ４４と下降端検出スイッチ４５を備えている。上昇端検出スイッチ４４と下降端検出スイッチ４５は、それらの検出子をコンベア台４１の底面に常に接するように弾発的に付勢されており、コンベア台４１が昇降装置４２により上昇モードに設定されたか、下降モードに設定されたかを検出する。
【００２２】
搬送装置１００は、３列をなす各コンベア列１００Ａ〜１００Ｃにおいて、複数の搬送コンベア１０を直列配置しており、上流側の搬送コンベア１０Ａの作業位置にて上昇モードにあるスライドコンベア３０のコンベアローラ４３（搬送面）が、下流側の搬送コンベア１０Ｂにおける固定コンベア２０のコンベアローラ２４（搬送面）に対し同一レベルにて直列接続可能にされる。上流側の搬送コンベア１０Ａのスライドコンベア３０を固定コンベア２０の下部に格納した状態で、上流側の搬送コンベア１０Ａと下流側の搬送コンベア１０Ｂの間の床面上に、通路、作業場を形成可能にする。
【００２３】
また、下流側の搬送コンベア１０Ｂのスライドコンベア３０を固定コンベア２０の下部に格納した状態で、下流側の搬送コンベア１０Ｂと後述する検査台１０１との間の床面上に、通路、作業場を形成可能にする。
【００２４】
搬送装置１００は、搬送コンベア１０（１０Ａと１０Ｂ）の固定コンベア２０の搬送面を洗車機１の組立台（上流側の組立台と下流側の組立台）とし、下流側の搬送コンベア１０Ｂの搬出側に検査台１０１を設置してある。尚、小型の洗車機１は例えば片側２列のコンベア列１００Ａ、１００Ｂの搬送コンベア１０（１０Ａと１０Ｂ）にて形成される組立台を使用し、大型の洗車機１は例えば全３列のコンベア列１００Ａ〜１００Ｃの搬送コンベア１０（１０Ａと１０Ｂ）にて形成される組立台を使用できる。
【００２５】
搬送装置１００は以下の如くに使用される。
(1)選択されたコンベア列１００Ａ〜１００Ｃにおいて、上流側の搬送コンベア１０Ａの固定コンベア２０の搬送面上で洗車機１の上流側組立工程を行ない、下流側の搬送コンベア１０Ｂの固定コンベア２０の搬送面上で洗車機１の下流側組立工程を行なう。
【００２６】
このとき、各搬送コンベア１０Ａ、１０Ｂにおいて、スライドコンベア３０は固定コンベア２０の下部に格納され、上流側の搬送コンベア１０Ａと下流側の搬送コンベア１０Ｂの間の床面、下流側の搬送コンベア１０Ｂと検査台１０１の間の床面を通路、作業場とする。
【００２７】
(2)洗車機１の上流側組立工程と下流側組立工程の終了に際し、各搬送コンベア１０Ａ、１０Ｂにおいて、スライドコンベア３０を固定コンベア２０の下部の格納位置から該固定コンベア２０の搬送方向前方の作業位置に引き出し、それら固定コンベア２０の搬送方向前方にて下流側に延びる延長コンベアを該スライドコンベア３０によって形成する。
【００２８】
これにより、下流側の搬送コンベア１０Ｂの固定コンベア２０の搬送面上で組立てられた洗車機１を、例えば作業者の手押しにてスライドコンベア３０経由で検査台１０１に搬送し、上流側の搬送コンベア１０Ａの固定コンベア２０の搬送面上で組立てられた洗車機１を、例えば作業者の手押しにてスライドコンベア３０経由で下流側の搬送コンベア１０Ｂの固定コンベア２０の搬送面上に搬送する。このとき、上流側の搬送コンベア１０Ａの固定コンベア２０の搬送面上には新たな洗車機１の組立部品が搬入される。
【００２９】
本実施例によれば以下の作用効果を奏する。
(a)床面上の定位置に固定コンベア２０を固定的に常備でき、固定コンベア２０を組立台として用いる等、常に物品支持手段又は物品待受手段として用意できる。
【００３０】
(b)スライドコンベア３０を固定コンベア２０の下部の格納位置から作業位置に引き出し、上昇モードでその搬送面を固定コンベア２０の搬送面に対し同一レベルにて直列接続することにより、固定コンベア２０の搬送方向前方にて下流側に伸びる延長コンベアを該スライドコンベア３０によって形成できる。
【００３１】
(c)スライドコンベア３０を下降モードで固定コンベア２０の下部の格納位置に格納することにより、固定コンベア２０の搬送方向前方の床面上から上述(b)の延長コンベアを除去し、この床面上スペースを通路、作業場として利用できる。
【００３２】
(d)スライドコンベア３０がスライド駆動装置３５により前記格納位置と前記作業位置との間をスライド可能にされるとともに、昇降装置４２により前記上下に昇降可能にされる。
【００３３】
(e)搬送装置１００において、複数の搬送コンベア１０（１０Ａと１０Ｂ）を直列配置することにより、上流側と下流側の複数位置のそれぞれに常備される固定コンベア２０により前述(a)の組立台等を形成し、各固定コンベア２０の搬送方向前方に前述(b)の延長コンベアと前述(c)の通路等とを選択的に形成できる。
【００３４】
以上、本発明の実施例を図面により詳述したが、本発明の具体的な構成はこの実施例に限られるものではなく、本発明の要旨を逸脱しない範囲の設計の変更等があっても本発明に含まれる。例えば、搬送コンベアの固定コンベアとスライドコンベアは、それらのコンベアローラ等を空圧制御又は電動制御等にて駆動するものでも良い。
【図面の簡単な説明】
【００３５】
【図１】図１は搬送装置を示す平面図である。
【図２】図２は搬送コンベアの延長状態を示す平面図である。
【図３】図３は図２のIII部拡大図である。
【図４】図４は図２の側面図である。
【図５】図５は図４のＶ部拡大図である。
【図６】図６は図４のVI部拡大図である。
【図７】図７は搬送コンベアの格納状態を示す側面図である。
【図８】図８は図７のコンベア内部構造を示す側面図である。
【図９】図９は図４のIX−IXに沿う矢視図である。
【図１０】図１０は図４のX−Xに沿う矢視図である。
【図１１】図１１は図４のXI−XIに沿う矢視図である。
【符号の説明】
【００３６】
１０、１０Ａ、１０Ｂ  搬送コンベア
２０  固定コンベア
２４  コンベアローラ（搬送面）
３０  スライドコンベア
３１  スライド台
３５  スライド駆動装置
４１  コンベア台
４２  昇降装置
４３  コンベアローラ（搬送面）
１００  搬送装置
【図１】
2007204245.tif 000003
【図２】
2007204245.tif 000004
【図３】
2007204245.tif 000005
【図４】
2007204245.tif 000006
【図５】
2007204245.tif 000007
【図６】
2007204245.tif 000008
【図７】
2007204245.tif 000009
【図８】
2007204245.tif 000010
【図９】
2007204245.tif 000011
【図１０】
2007204245.tif 000012
【図１１】
2007204245.tif 000013